(57)【特許請求の範囲】
【請求項１】
会員が所望する番組と該番組に対応した広告情報とを上記会員へ配信する広告情報配信方法において、
広告情報配信端末に会員情報を登録し、
上記会員の会員情報を参照して電子番組ガイドの各番組と対応する広告情報との間にリンクを設定し、
上記電子番組ガイドから番組が上記会員により要求されたとき、該番組に対応する広告情報のリンクが設定されている場合には、該番組の内容と、該番組にリンクされた広告情報と、を上記会員のユーザ端末へ配信し、該番組に対応する広告情報のリンクが設定されていない場合には上記会員のユーザ端末に広告情報は配信しないこと
を特徴とする広告情報配信方法。
【請求項２】
上記番組の内容および広告情報が、上記会員のユーザ端末へダウンロードされ、ダウンロードされた番組の内容または番組の内容および広告情報を当該会員が視聴できるようにした請求項１記載の広告情報配信方法。
【請求項３】
上記広告情報が、広告主のスポンサ端末から登録される請求項１または２に記載の広告情報配信方法。
【請求項４】
上記各番組は、ディジタルテレビジョン番組であり、
上記広告情報は、動画を含む画像情報である
請求項１または２に記載の広告情報配信方法。
【請求項５】
上記各番組は、音楽番組であり、
上記広告情報は、音声情報を含む
請求項１または２に記載の広告情報配信方法。
【請求項６】
上記会員情報には嗜好情報が含まれ、この嗜好情報を加味して番組と広告情報とのリンクが設定される
請求項１または２に記載の広告情報配信方法。
【請求項７】
会員が所望する番組と該番組に対応した広告情報とを広告情報配信端末から会員のユーザ端末へ配信する広告情報配信システムにおいて、
広告情報配信端末に、
複数の会員情報を格納する会員データベースと、
複数の広告情報を格納する広告情報データベースと、
電子番組ガイドが収納されたＥＰＧデータベースと、
上記会員データベースの会員情報を参照して、上記ＥＰＧデータベースの電子番組ガイドの各番組と対応する広告情報との間にリンクを設定するとともに、上記ＥＰＧデータベースの電子番組ガイド、および、上記番組の内容とその番組に対応した広告情報を会員のユーザ端末に配信するデータベースサーバと、
を備え、
会員のユーザ端末に、
上記配信された電子番組ガイド、および、番組の内容または番組の内容とその番組に対応した広告情報とを表示する表示装置と、
を備え、
上記広告情報配信端末から会員のユーザ端末に配信された電子番組ガイドから番組が上記表示装置上で選択され、選択された番組が上記会員のユーザ端末から広告情報配信端末に送られ、
広告情報配信端末において、上記選択された番組に対応する広告情報のリンクが設定されている場合には、該番組の内容と、該番組にリンクされた広告情報と、を上記会員のユーザ端末へ配信され、該番組に対応する広告情報のリンクが設定されていない場合には上記会員のユーザ端末に広告情報は配信されないこと
を特徴とする広告情報配信システム。
【請求項８】
上記番組の内容および広告情報が、上記会員のユーザ端末へダウンロードされ、ダウンロードされた番組の内容、または、番組の内容および広告情報を当該会員が視聴できるようにした
請求項７記載の広告情報配信システム。
【請求項９】
上記広告情報データベースの広告情報が、広告主のスポンサ端末から登録される請求項７または８に記載の広告情報配信方法。
【請求項１０】
上記各番組は、
ディジタルテレビジョン番組であり、
上記広告情報データベースに格納された広告情報は、
動画を含む画像情報である
請求項７または８に記載の広告情報配信システム。
【請求項１１】
上記各番組は、
音楽番組であり、
上記広告情報データベースに格納された広告情報は、
音声情報を含む
請求項７または８に記載の広告情報配信システム。
【請求項１２】
上記会員データベースには、会員の嗜好が登録されていて、会員データベースの会員の嗜好を参照して、上記データベースサーバが電子番組ガイドの各番組と対応する広告情報との間にリンクを設定する
請求項７または８に記載の広告情報配信システム。
【発明の詳細な説明】
【０００１】
【技術分野】
この発明は、電子番組ガイドにより提供される各番組に対応して広告情報を配信する広告情報配信方法およびシステムに関し、特に、電子番組ガイドに基づきユーザにより選択された番組に対応するユーザカスタマイズされた広告情報を該番組の内容とともにユーザに配信することで各ユーザに対応して有効な広告情報をユーザに提供することができるようにした新規な広告情報配信方法およびシステムに関する。
【０００２】
【背景技術】
最近、電子番組ガイド（ＥＰＧ：Electronic Program Guide）を用いて、テレビジョン番組、音楽番組等の各種番組の内容をパーソナルコンピュータ等のユーザ端末に提供するシステムが開発されている。
【０００３】
この電子番組ガイドは、パーソナルコンピュータ等のユーザ端末の表示画面にテレビジョン番組、音楽番組等の各種番組を表示し、ユーザは、このユーザ端末の表示画面に表示されたテレビジョン番組、音楽番組等を用いて所望の番組を選択することにより、所望の番組の内容を視聴でき、また、必要に応じて当該番組の内容を当該ユーザ端末にダウンロードして録画、録音して再視聴することを可能にするものである。
【０００４】
そして、この電子番組ガイドを用いて視聴可能なテレビジョン番組、音楽番組等の各種番組の内容には予め広告情報（ＣＭ情報）が含まれており、ユーザは、この電子番組ガイドを用いて提供される各種番組の内容を視聴することで、同時にこの各種番組の内容に含まれるＣＭ情報を視聴することができる。
【０００５】
また、ユーザは、この電子番組ガイドを用いて提供される各種番組の内容を当該ユーザのユーザ端末にダウンロードした場合は、このダウンロードした各種番組の内容を再生することで、この各種番組の内容を繰り返し視聴することができるとともに、同時にこの各種番組の内容に含まれるＣＭ情報を視聴することができる。
【０００６】
しかし、上記従来の電子番組ガイドを用いてユーザに提供されるテレビジョン番組、音楽番組等の各種番組の内容に含まれるＣＭ情報は、ＴＶ局等の情報提供者によって一義的に選択されたものであり、必ずしもユーザにとって有効なＣＭ情報ではない。
【０００７】
つまり、従来の電子番組ガイドを用いてユーザに提供される各種番組の内容に含まれるＣＭ情報は、ＴＶ局等の情報提供者から一方的に配信されるもので、ユーザの好み等は全く反映されていないので、特に繰り返し再生される場合等を考えると、番組の内容に適合していなかったり、ユーザの嗜好等に適合していなかったりして、ユーザにとって有効なＣＭ情報となり得ない場合もあった。
【０００８】
【発明の開示】
そこで、この発明は、電子番組ガイドに基づきユーザにより選択された番組に対応するユーザカスタマイズされた広告情報を該番組の内容とともにユーザに配信することで各ユーザに対応して有効な広告情報をユーザに提供することができるようにした新規な広告情報配信方法およびシステムを提供する。
【０００９】
この発明においては、電子番組ガイドに基づき提供されるテレビジョン番組、音楽番組等の各種番組の内容の配信が有効かつ新たな広告媒体となりうることに着目してなされたものである。
【００１０】
すなわち、この発明の広告情報配信方法は、会員が所望する番組と該番組に対応した広告情報とを上記会員へ配信する広告情報配信方法において、広告情報配信端末に会員情報を登録し、上記会員の会員情報を参照して電子番組ガイドの各番組と対応する広告情報との間にリンクを設定し、上記電子番組ガイドから番組が上記会員により要求されたとき、該番組に対応する広告情報のリンクが設定されている場合には、該番組の内容と、該番組にリンクされた広告情報と、を上記会員のユーザ端末へ配信し、該番組に対応する広告情報のリンクが設定されていない場合には上記会員のユーザ端末に広告情報は配信しないことを特徴とする。
【００１１】
ここで、上記各番組は、ディジタルテレビジョン番組であり、上記広告情報は、動画を含む画像情報であることを特徴とする。
【００１２】
また、上記各番組は、音楽番組であり、上記広告情報は、音声情報を含むことを特徴とする。
【００１４】
また、上記会員情報には嗜好情報が含まれ、この嗜好情報を加味して番組と広告情報とのリンクが設定されるようにしてもよい。
【００１５】
このような構成によると、電子番組ガイドにより提供される各番組と広告情報との間のリンク関係を任意設定、変更することで、この電子番組ガイドに基づきユーザにより番組要求された番組に対して、例えば、番組の内容に適合した、若しくはユーザ嗜好に適合した任意の広告情報を付加することが可能になる。
【００１６】
また、この発明の広告情報配信システムは、会員が所望する番組と該番組に対応した広告情報とを広告情報配信端末から会員のユーザ端末へ配信する広告情報配信システムにおいて、広告情報配信端末に、複数の会員情報を格納する会員データベースと、複数の広告情報を格納する広告情報データベースと、電子番組ガイドが収納されたＥＰＧデータベースと、上記会員データベースの会員情報を参照して、上記ＥＰＧデータベースの電子番組ガイドの各番組と対応する広告情報との間にリンクを設定するとともに、上記ＥＰＧデータベースの電子番組ガイド、および、上記番組の内容とその番組に対応した広告情報を会員のユーザ端末に配信するデータベースサーバと、を備え、会員のユーザ端末に、上記配信された電子番組ガイド、および、番組の内容または番組の内容とその番組に対応した広告情報とを表示する表示装置と、を備え、上記広告情報配信端末から会員のユーザ端末に配信された電子番組ガイドから番組が上記表示装置上で選択され、選択された番組が上記会員のユーザ端末から広告情報配信端末に送られ、広告情報配信端末において、上記選択された番組に対応する広告情報のリンクが設定されている場合には、該番組の内容と、該番組にリンクされた広告情報と、を上記会員のユーザ端末へ配信され、該番組に対応する広告情報のリンクが設定されていない場合には上記会員のユーザ端末に広告情報は配信されないことを特徴とする。
上記番組の内容および広告情報が、上記会員のユーザ端末へダウンロードされ、ダウンロードされた番組の内容、または、番組の内容および広告情報を当該会員が視聴できるようにしてもよい。
ここで、上記広告情報データベースの広告情報が、広告主のスポンサ端末から登録されるようにしてもよい。
【００１７】
ここで、上記各番組は、ディジタルテレビジョン番組であり、上記広告情報データベースに格納された広告情報は、動画を含む画像情報であることを特徴とする。
【００１８】
また、上記各番組は、音楽番組であり、上記広告情報データベースに格納された広告情報は、音声情報を含むことを特徴とする。
【００２０】
また、上記会員データベースには、会員の嗜好が登録されていて、会員データベースの会員の嗜好を参照して、上記データベースサーバが電子番組ガイドの各番組と対応する広告情報との間にリンクを設定するようにしてもよい。
【００２１】
【発明を実施するための最良の形態】
以下、この発明に係わる広告情報配信方法およびシステムの実施の形態を添付図面を参照して詳細に説明する。
【００２２】
図１は、この発明に係わる広告情報配信システムの一実施の形態の概略構成を示すブロック図である。
【００２３】
この実施の形態の広告情報配信システムは、電子番組ガイド（ＥＰＧ）に基づき提供されるテレビジョン番組、音楽番組等の各種番組の内容の配信を利用してユーザカスタマイズされた有用な広告情報（ＣＭ情報）をユーザに配信することを実現するものである。
【００２４】
図１において、この実施の形態の広告情報配信システム１０は、ＣＭ情報配信端末１００と、ユーザ端末２００と、このＣＭ情報配信端末１００およびユーザ端末２００が接続されるインターネット３００とを具備して構成される。
【００２５】
ここで、ＣＭ情報配信端末１００は、例えば、ディジタルテレビジョン番組の内容をインターネット３００を介してユーザ端末２００へ配信するＴＶ局等が対応する。
【００２６】
ＣＭ情報配信端末１００は、データベースサーバ１１０、ＷＷＷ(World Wide Web)サーバ１２０、ＣＭ(Commercial Message)データベース１３０、ＥＰＧ(Electronic Program Guide)データベース１４０、会員データベース１５０を具備して構成される。
【００２７】
ここで、データベースサーバ１１０は、ＣＭデータベース１３０、ＥＰＧデータベース１４０、会員データベース１５０の構築、管理を行うものである。
【００２８】
ＷＷＷサーバ１２０は、データベースサーバ１１０に接続されるとともにインターネット３００に接続され、インターネット３００を介するユーザ端末２００からの電子番組ガイドに基づく番組要求に対応して、データベースサーバ１１０からユーザ端末２００への広告情報（ＣＭ情報）および当該番組要求に係わる番組の内容のダウンロードを可能にするものである。
【００２９】
ＣＭデータベース１３０は、この発明によりユーザ端末２００へダウンロードされる各種ＣＭ情報を格納するものである。このＣＭデータベース１３０に格納されるＣＭ情報は、広告主であるＣＭスポンサから提供される。
【００３０】
ＥＰＧデータベース１４０は、各種電子番組ガイドを格納するもので、この電子番組ガイドは、例えば、ＴＶ局から提供される。また、このＥＰＧデータベース１４０に格納される電子番組ガイドは、他のＴＶ局から提供される電子番組ガイドも含む。
【００３１】
会員データベース１５０は、この広告情報配信システムを利用するために登録された会員（ユーザ）の会員情報を格納するもので、この会員データベース１５０に登録される会員情報には、会員の嗜好情報、例えば、好きな色、好きなスポーツ、好きな食べ物、好きな歌手等の情報が含まれる。
【００３２】
ユーザ端末２００は、この広告情報配信システムを利用するために登録された会員（ユーザ）が所有する端末で、例えば、インターネット３００と接続可能なパーソナルコンピュータ、携帯電話機等からなり、ＷＷＷ(World Wide Web)ブラウザ２１０、記憶装置２２０、表示装置２３０を具備して構成される。
【００３３】
ここで、ＷＷＷブラウザ２１０は、インターネットエクスプローラ、ネットスケープナビゲータ等が提供するブラウザで、インターネット３００を介してＷＷＷサーバ１２０が提供する各種情報の閲覧およびダウンロードを可能にするものである。
【００３４】
記憶装置２２０は、インターネット３００を介してＷＷＷサーバ１２０からダウンロードした情報を格納するもので、例えば、ユーザ端末２００がインターネット３００と接続可能なパーソナルコンピュータである場合は、このパーソナルコンピュータに搭載されたハードディスクが対応する。
【００３５】
表示装置２３０は、例えば、ＣＲＴ(Cathode-Ray Tube) ディスプレイ、ＬＣＤ(Liquid Crystal Display)ディスプレイ等から構成され、ＷＷＷブラウザ２１０の表示画面を構成するとともに、記憶装置２２０にダウンロードした情報の再生画像を表示するため等に用いられる。
【００３６】
さて、上記構成において、ＣＭ情報配信端末１００のデータベースサーバ１１０は、会員データベース１５０の会員情報を参照して、ＥＰＧデータベース１４０の電子番組ガイドの各番組に対応してＣＭデータベース１３０に格納された各ＣＭ情報との間にリンクを設定する。
【００３７】
この状態において、ユーザ端末２００のＷＷＷブラウザ２１０を用いてＣＭ情報配信端末１００へ番組要求があると、ＣＭ情報配信端末１００のデータベースサーバ１１０は、まず、ＥＰＧデータベース１４０を検索して要求された番組を取得するとともに、該番組に対応してＣＭ情報へのリンクが設定されているかを調べ、リンクが設定されている場合は、このＣＭ情報を取得した番組の内容に付加して配信情報を作成する。
【００３８】
この配信情報は、ユーザ端末２００のＷＷＷブラウザ２１０上での指示によりＷＷＷサーバ１２０、インターネット３００、ＷＷＷブラウザ２１０を介してユーザ端末２００の記憶装置２２０へダウンロードされ、このユーザ端末２００の記憶装置２２０へダウンロードされた配信情報は、必要に応じて再生され、ユーザ端末２００の表示装置２３０で表示することができる。
【００３９】
図２は、上記ＣＭ情報配信端末１００とユーザ端末２００との間のデータの流れをＣＭ情報配信端末１００がＴＶ局に設けられている場合について示した図である。
【００４０】
図２において、まず、ＣＭデータベース１３０へのＣＭ情報の登録およびＥＰＧデータベース１４０へのＥＰＧ情報の登録および会員データベース１５０への会員情報の登録が行われる。
【００４１】
ＣＭデータベース１３０へのＣＭ情報の登録は、広告主、すなわちＣＭスポンサから行われる。このＣＭスポンサからＣＭデータベース１３０へのＣＭ情報の登録は、例えば、ＣＭスポンサに設けられたＣＭスポンサ端末２０で所要のＣＭ情報を入力し、この入力されたＣＭ情報をＣＭスポンサ端末２０からＴＶ局に設けられたＣＭ情報配信端末１００のデータベースサーバ１１０へ転送することにより行うことができる。
【００４２】
また、ＥＰＧデータベース１４０へのＥＰＧ情報の登録は、ＴＶ局に設けられたＣＭ情報配信端末１００によるＣＭ情報配信端末１００のデータベースサーバ１１０へのＥＰＧ情報の入力若しくは、他のＴＶ局からのＥＰＧ情報のデータベースサーバ１１０への転送により行うことができる。
【００４３】
また、会員データベース１５０への会員情報の登録は、例えば、ユーザ端末２００で所要の会員情報を入力し、この会員情報をユーザ端末２００からＷＷＷサーバ１２０へ転送することにより行うことができる。ここで、この会員情報には前述したように会員（ユーザ）の嗜好情報等が含まれている。
【００４４】
ＴＶ局に設けられたＣＭ情報配信端末１００では、会員データベース１５０に登録された会員情報に基づき、ＥＰＧデータベース１４０に格納されたＥＰＧ情報とＣＭデータベース１３０に登録されたＣＭ情報との間に必要なリンクを設定する。
【００４５】
図３は、このＥＰＧデータベース１４０に格納されたＥＰＧ情報とＣＭデータベース１３０に登録されたＣＭ情報との間に設定されたリンクの一例を示す図である。
【００４６】
図３においては、「ＴＶ４」の「９：００〜１０：００」の番組にユーザＡに対応するＣＭ情報ＣＭ−Ａがリンクされ、同様に、「ＴＶ４」の「９：００〜１０：００」の番組にユーザＢに対応するＣＭ情報ＣＭ−Ｂがリンクされ、「ＴＶ４」の「１１：００〜１２：００」の番組にユーザＥに対応するＣＭ情報ＣＭ−Ｅがリンクされている状態を示している。
【００４７】
上記状態において、ユーザＢのユーザ端末２００のＷＷＷブラウザ２１０から「ＴＶ４」の「９：００〜１０：００」の番組を要求する場合は、まず、ユーザＢのユーザ端末２００において、ＴＶ局に設けられたＣＭ情報配信端末１００のＥＰＧデータベース１４０から必要なＥＰＧ情報をデータベースサーバ１１０、ＷＷＷサーバ１２０を介して取得し、このＥＰＧ情報をＷＷＷブラウザ２１０上で閲覧して「ＴＶ４」の「９：００〜１０：００」の番組を選択することにより行われる。
【００４８】
これによりユーザ端末２００から「ＴＶ４」の「９：００〜１０：００」の番組を要求する番組要求がユーザ端末２００のＷＷＷブラウザ２１０からＣＭ情報配信端末１００のＷＷＷサーバ１２０を介してデータベースサーバ１１０へ送られる。
【００４９】
これにより、データベースサーバ１１０は、ＥＰＧデータベース１４０を検索して所望の番組、すなわち、「ＴＶ４」の「９：００〜１０：００」の番組の内容を取得するとともに、この「ＴＶ４」の「９：００〜１０：００」の番組にリンクされているユーザＢのＣＭ情報ＣＭ−ＢをＣＭデータベース１３０を検索して取得する。
【００５０】
そして、「ＴＶ４」の「９：００〜１０：００」の番組の内容にＣＭデータベース１３０から取得したユーザＢのＣＭ情報ＣＭ−Ｂを付加してユーザＢに対する配信情報を作成する。
【００５１】
この「ＴＶ４」の「９：００〜１０：００」の番組の内容に対するユーザＢのＣＭ情報ＣＭ−Ｂの付加は、例えば、「ＴＶ４」の「８：００〜９：００」の番組がディジタルテレビジョンの番組であるような場合は非常に簡単に行うことができる。
【００５２】
図４は、このようにして作成された配信情報の一例を示す図である。
【００５３】
図４において、この配信情報４００は、ＣＭ情報に対応するＣＭデータ４１０と番組の内容を示す番組データ４２０とから構成される。
【００５４】
ここで、ＣＭデータ４１０は、ＣＭ情報に対応するディジタルテレビジョンの動画画像データであり、番組データ４２０は、番組の内容に対応するディジタルテレビジョンの動画画像データである。
【００５５】
この場合、番組データ４２０の先頭にＣＭデータ４１０を配置するだけで所望のＣＭ情報が付加された要求番組の内容を含む配信情報を作成することができる。
【００５６】
次に、ユーザ端末２００のＷＷＷブラウザ２１０上で上記配信情報のダウンロードを要求すると、上記ＣＭ情報配信端末１００のデータベースサーバ１１０で作成された所望のＣＭ情報が付加された要求番組の内容を含む配信情報が、ＣＭ情報配信端末１００のデータベースサーバ１１０、ＷＷＷサーバ１２０、ユーザ端末２００のＷＷＷブラウザ２１０を介してユーザ端末２００の記憶装置であるハードディスク２２１へダウンロードされる。
【００５７】
このハードディスク２２１へダウンロードされた所望のＣＭ情報が付加された要求番組の内容を含む配信情報は、ユーザ端末２００のディスプレイ２３１上で画像として再生し、また図示しないスピーカから音声若しくは音楽として再生することができる。
【００５８】
この再生に際して、要求番組の内容とともにこの要求番組の内容に付加されたＣＭ情報の再生も同時に行われ、ここで、このＣＭ情報はＴＶ局から一方的に配信される従来のＣＭ情報と異なり、各ユーザに対応してユーザカスタマイズされたＣＭ情報であるので、その広告効果も大きく、非常に有用である。
【００５９】
さらに、ハードディスク２２１へダウンロードされた所望のＣＭ情報が付加された要求番組の内容を含む配信情報は、ユーザの操作により繰り返し再生可能であるので、その広告効果はさらに大きなものとなることが期待できる。
【００６０】
図５は、上記ＣＭ情報配信端末１００の動作を示すフローチャートである。
【００６１】
図５において、ＣＭ情報配信端末１００は、まず、ユーザ端末２００からの番組要求があるかを調べる（ステップ５０１）。ここで、ユーザ端末２００からの番組要求がない場合は（ステップ５０１でＮＯ）、ステップ５０１へ戻り、ユーザ端末２００からの番組要求を待つが、ステップ５０１でユーザ端末２００からの番組要求があると判断されると（ステップ５０１でＹＥＳ）、ＥＰＧデータベース１４０から要求された番組を検索する（ステップ５０２）。
【００６２】
次に、ステップ５０２で検索した番組にＣＭ情報がリンクされているかを調べる（ステップ５０３）。
【００６３】
ここで、検索した番組にＣＭ情報がリンクされている場合は（ステップ５０３でＹＥＳ）、ＣＭデータベース１３０からリンクされているＣＭ情報を検索し（ステップ５０４）、要求された番組の内容に上記検索されたＣＭ情報を付加して配信情報を作成し（ステップ５０５）、この処理を終了する。
【００６４】
なお、ステップ５０３で、検索した番組にＣＭ情報がリンクされていないと判断されると（ステップ５０３でＮＯ）、この場合は、ＣＭ情報が付加された配信情報の作成は行わず、この処理を終了する。
【００６５】
図６は、上記ユーザ端末２００の動作を示すフローチャートである。
【００６６】
図６において、ユーザ端末２００は、まず、ＣＭ情報配信端末１００に対して番組要求を送信する（ステップ６０１）。
【００６７】
そして、ＣＭ情報配信端末１００に対して要求した番組に対応する配信情報のダウンロードを行う。
【００６８】
ここで、ＣＭ情報配信端末１００において、要求した番組にＣＭ情報がリンクされていて（ステップ５０３でＹＥＳ）、ＣＭ情報が付加された番組の内容に対応する配信情報が作成された場合は（ステップ５０５）、ＣＭ情報が付加された番組の内容がダウンロードされるが、要求した番組にＣＭ情報がリンクされていず（ステップ５０３でＮＯ）、ＣＭ情報が付加された番組の内容に対応する配信情報が作成されない場合は、ＣＭ情報が付加されていない番組の内容のみに対応する配信情報がダウンロードされることになる。
【００６９】
このようにしたダウンロードした配信情報は、ハードディスク２２１へ格納される（ステップ６０３）。
【００７０】
次に、ユーザ端末２００において再生指示がなされたかを調べる（ステップ６０４）。
【００７１】
ここで、再生指示がないと判断されると（ステップ６０４でＮＯ）、ステップ６０４へ戻り、再生指示を待つ。
【００７２】
また、ステップ６０４で再生指示がなされたと判断されると（ステップ６０４でＹＥＳ）、ハードディスク２２１から所望の配信情報を取得してこの取得した配信情報をディスプレイ２３１上で再生し、この処理を終了する。
【００７３】
なお、上記実施の形態においては主に要求番組がディジタルテレビジョン放送の番組である場合について説明したが、要求番組が音楽放送番組の場合も同様に適用できることは勿論である。
【００７４】
【産業上の利用可能性】
この発明は、電子番組ガイドに基づき提供されるテレビジョン番組、音楽番組等の各種番組の内容の配信を利用して広告情報の配信を行うものである。
【００７５】
この発明によれば、電子番組ガイドにより提供される各番組に対応して広告情報を配信する広告情報配信方法において、上記電子番組ガイドにより提供される各番組に対応して所定の広告情報を予めリンクさせておき、上記電子番組ガイドに基づき所望の番組がユーザにより選択された場合は、該選択された番組にリンクされている広告情報を抽出し、該抽出した広告情報を上記電子番組ガイドに基づき選択された番組の内容とともに上記ユーザに配信する。
【００７６】
このような構成によると、電子番組ガイドにより提供される各番組と広告情報との間のリンク関係を任意設定、変更することで、この電子番組ガイドに基づきユーザにより選択した番組に対して、例えば、番組の内容に適合した、若しくはユーザ嗜好に適合した任意の広告情報を付加することが可能になり、これによりユーザカスタマイズされた有用な広告情報の配信が可能になる。
【図面の簡単な説明】
【図１】  この発明に係わる広告情報配信システムの一実施の形態の概略構成を示すブロック図である。
【図２】  図１に示したＣＭ情報配信端末１００とユーザ端末２００との間のデータの流れをＣＭ情報配信端末１００がＴＶ局に設けられている場合について示した図である。
【図３】  図２に示したＥＰＧデータベース１４０に格納されたＥＰＧ情報とＣＭデータベース１３０に登録されたＣＭ情報との間に設定されたリンクの一例を示す図である。
【図４】  図２に示したＣＭ情報配信端末１００で作成される配信情報の一例を示す図である。
【図５】  図２に示したＣＭ情報配信端末１００の動作を示すフローチャートである。
【図６】  図２に示したユーザ端末２００の動作を示すフローチャートである。
【図１】
0004555546.tif 000002
【図２】
0004555546.tif 000003
【図３】
0004555546.tif 000004
【図４】
0004555546.tif 000005
【図５】
0004555546.tif 000006
【図６】
0004555546.tif 000007